(57)【要約】【課題】  筐体に対するハードディスク装置の着脱を容易に行えるようにしたハードディスク装置の取付具及び電子機器を提供すること。【解決手段】  ハードディスク装置の取付具１２０は、複数のハードディスク装置１４０を収容可能な枠体１２１と、この枠体１２１の外壁部に設けられ、筐体１４３のハードディスク装置取付壁部１７２に設けられた被掛止部１６８に着脱自在に掛止される掛止部１３９ａとを備える。【選択図】        図８
2005293811.tif 000002
【特許請求の範囲】
【請求項１】
電子機器筐体の内部に内蔵されるハードディスク装置を前記電子機器筐体に取り付けるためのハードディスク装置の取付具であって、
前記ハードディスク装置を収容可能な枠体と、
前記枠体の外壁部に設けられ、前記電子機器筐体のハードディスク装置取付壁部に着脱自在に掛止される掛止部と
を備えることを特徴とするハードディスク装置の取付具。
【請求項２】
前記枠体に対して回動自在に連結されたレバー部材と、
前記レバー部材の端縁部に設けられ、前記電子機器筐体に形成された係合部に係合されることで、前記電子機器筐体に対する前記枠体の掛止が解除される方向への前記枠体の移動を規制するロック部と
を備えることを特徴とする請求項１に記載のハードディスク装置の取付具。
【請求項３】
前記レバー部材に一体に設けられ、前記ロック部が前記係合部との係合から解除された状態で、前記枠体の外壁部から離間される取手部を備える
ことを特徴とする請求項２に記載のハードディスク装置の取付具。
【請求項４】
前記枠体の内部に設けられ、複数の前記ハードディスク装置を互いに離間させて支持可能なハードディスク支持部を備える
ことを特徴とする請求項１に記載のハードディスク装置の取付具。
【請求項５】
筐体と、
前記筐体の内部に内蔵されるハードディスク装置を前記筐体に取り付けるための取付具とを備えた電子機器であって、
前記筐体は、前記ハードディスク装置の取付壁部に設けられた被掛止部を備え、
前記取付具は、
前記ハードディスク装置を収容可能な枠体と、
前記枠体の外壁部に設けられ、前記被掛止部に着脱自在に掛止される掛止部とを備える
ことを特徴とする電子機器。
【請求項６】
前記筐体は、前記取付壁部に設けられた係合部を備え、
前記取付具は、
前記枠体に対して回動自在に連結されたレバー部材と、
前記レバー部材の端縁部に設けられ、前記係合部に係合されることで、前記筐体に対する前記枠体の掛止が解除される方向への前記枠体の移動を規制するロック部とを備える
ことを特徴とする請求項５に記載の電子機器。
【請求項７】
前記レバー部材に一体に設けられ、前記ロック部が前記係合部との係合から解除された状態で、前記枠体の外壁部から離間される取手部を備える
ことを特徴とする請求項６に記載の電子機器。
【請求項８】
前記枠体の内部に設けられ、複数の前記ハードディスク装置を互いに離間させて支持可能なハードディスク支持部を備える
ことを特徴とする請求項５に記載の電子機器。
【請求項９】
前記筐体の前記取付壁部との間で前記枠体を挟み込むように前記筐体に固定される補助取付具を備える
ことを特徴とする請求項５に記載の電子機器。
【請求項１０】
前記補助取付具は、前記筐体内に内蔵される他の機器の収容凹部を備える
ことを特徴とする請求項９に記載の電子機器。
【請求項１１】
前記筐体の前記取付壁部との間で前記枠体を挟み込むように前記筐体に固定されると共に、前記ロック部の前記係合部からの解除を規制するように前記レバー部材を押さえ込む補助取付具を備える
ことを特徴とする請求項６に記載の電子機器。
【発明の詳細な説明】
【技術分野】
【０００１】
本発明は、電子機器筐体の内部に内蔵されるハードディスク装置をその筐体に取り付けるためのハードディスク装置の取付具及び電子機器に関し、詳しくは、着脱を容易に行えるようにしたハードディスク装置の取付具及び電子機器に関する。
【背景技術】
【０００２】
従来、テレビ番組の録画や、ビデオカメラで撮影した映像の保存などはビデオカセットテープに行うのが一般的であったが、最近では編集のしやすさやビデオカセットテープの交換なしに長時間記録を行えるなどの点から、パーソナルコンピュータやハードディスクレコーダに備えられるハードディスク装置に記録を行うことが急速に普及している。
【０００３】
その場合に、テレビ番組などの動画データはデータ量が大きいため、パーソナルコンピュータやハードディスクレコーダに備えられるハードディスク装置の容量も大容量にする必要があり、複数台のハードディスク装置を備えるものが増えてきている。例えば特許文献１に示される電子機器では８台のハードディスク装置を筐体内に備えている。
【特許文献１】特開平１０−２００２８０号公報
【０００４】
また、例えばタワー型のパーソナルコンピュータにあっては、最初から複数台のハードディスク装置が備えられていなくても、使用者の必要に応じて後からハードディスク装置を増設できるように筐体内にその取り付けのためのスペースが確保されているものも多い。
【発明の開示】
【発明が解決しようとする課題】
【０００５】
従来、ハードディスク装置は取付具に固定され、その取付具が筐体にねじ止めされることで筐体に対して取り付けられる。このようにねじ止めにて固定されるため、生産工程におけるハードディスク装置の取り付け、あるいは修理のために交換する場合や、増設する場合の着脱に際して手間がかかり、特に複数台のハードディスク装置を備えるものではハードディスク装置が複数台ある分、非常に取り扱いにくかった。
【０００６】
本発明は上述の問題に鑑みてなされ、その目的とするところは、筐体に対するハードディスク装置の着脱を容易に行えるようにしたハードディスク装置の取付具及び電子機器を提供することにある。
【課題を解決するための手段】
【０００７】
本発明のハードディスク装置の取付具は、ハードディスク装置を収容可能な枠体と、この枠体の外壁部に設けられ、電子機器筐体のハードディスク装置取付壁部に着脱自在に掛止される掛止部とを備えることを特徴としている。
【０００８】
上記枠体の内部にハードディスク装置を収容したうえで、その取付具を筐体に引っ掛けるので、ねじを用いて取り付ける場合に比べ、着脱を簡単に行える。特に、複数台のハードディスク装置を取り付ける場合には、枠体の内部にそれら複数のハードディスク装置を収容することで、それら複数のハードディスク装置及び取付具を１つのユニットとして取り扱うことができ、作業者の負担を軽減できる。
【０００９】
また、上記枠体に対して回動自在に連結されたレバー部材と、そのレバー部材の端縁部に設けられ、筐体に形成された係合部に係合されることで、筐体に対する枠体の掛止が解除される方向への枠体の移動を規制するロック部とを備える構成とすれば、取付具の筐体に対する掛止を解除しようとする力が働いてもロック部が係合部に係合することで、取付具の掛止解除方向への移動が規制される。これにより、筐体に対する取付具の安定した掛止状態を保持できる。
【００１０】
また、上記レバー部材に一体に設けられ、上記ロック部が上記係合部との係合から解除された状態で、上記枠体の外壁部から離間される取手部を備える構成とすれば、その取手部によって取付具が持ちやすくなり、ハードディスク装置の台数が多い場合や、取り付けにくい箇所であって容易に着脱を行える。また、取手部を持つために枠体の外壁部から離間させる動作がそのままロック部の係合部からの解除動作となっているため、取り外し方法がわかりやすく、作業者の手間もかからない。
【００１１】
また、枠体の内部に、複数のハードディスク装置を互いに離間させて支持可能なハードディスク支持部を備えさせれば、各ハードディスク装置間に空気の通る間隙を確保でき、ハードディスク装置が発する熱の放熱性を高めることができる。
【００１２】
本発明の電子機器は、筐体と、この筐体の内部に内蔵されるハードディスク装置を筐体に取り付けるための取付具とを備え、
筐体は、ハードディスク装置の取付壁部に設けられた被掛止部を備え、
取付具は、ハードディスク装置を収容可能な枠体と、この枠体の外壁部に設けられ、筐体の被掛止部に着脱自在に掛止される掛止部とを備えることを特徴としている。
【００１３】
上記枠体の内部にハードディスク装置を収容したうえで、その取付具の掛止部を筐体の被掛止部に引っ掛けるので、ねじを用いて取り付ける場合に比べ、着脱を簡単に行える。特に、複数台のハードディスク装置を取り付ける場合には、枠体の内部にそれら複数のハードディスク装置を収容することで、それら複数のハードディスク装置及び取付具を１つのユニットとして取り扱うことができ、作業者の負担を軽減できる。
【００１４】
また、筐体の取付壁部との間で枠体を挟み込むように筐体に固定される補助取付具を備えた構成とすれば、取付具は取付壁部と補助取付具の２面で挟み込まれ、２方向から面で押さえられており振動や衝撃に強いため、取付強度を高めることができる。
【００１５】
また、上記補助取付具は、筐体内に内蔵される他の機器の収容凹部を備える構成とすれば、その収容凹部内に例えば光ディスク装置などの他の機器を配置できるため電子機器に具備される内蔵機器や部品の配置レイアウトの自由度が増す。
【００１６】
さらに、上記補助取付具が、上記ロック部の上記係合部からの解除を規制するように上記レバー部材を押さえ込むようにすれば、振動等でロック部が係合位置（ロック位置）から外れることを防げる。さらに、補助取付具がロック部をロック位置へと押さえる構造であるため、ロックし忘れた状態であっても補助取付具を取り付ければ自然にロック部が係合部に係合される。これにより、ロックのし忘れによる脱落などを防ぐことができる。
【発明の効果】
【００１７】
本発明のハードディスク装置の取付具によれば、枠体の内部にハードディスク装置を収容したうえで、その枠体の外壁部に設けられた掛止部を筐体に引っ掛けるので着脱を簡単に行え、筐体に対するハードディスク装置着脱の手間を軽減できる。
【００１８】
本発明の電子機器によれば、枠体の内部にハードディスク装置を収容したうえで、その枠体の外壁部に設けられた掛止部を筐体に引っ掛けるので着脱を簡単に行え、筐体に対するハードディスク装置着脱の手間を軽減できる。この結果、電子機器生産効率の向上が図れる。
【発明を実施するための最良の形態】
【００１９】
図１は本発明の実施形態に係る電子機器１の外観斜視図を示す。図２、図３はそれぞれ、電子機器１の正面図、上面図である。本実施形態では、電子機器１は、いわゆるタワー型パーソナルコンピュータの本体である。
【００２０】
電子機器１は、筐体２及び３が組み合わされなる直方体形状の外部筐体を有し、その外部筐体は台座８によって設置面上に支持される。
【００２１】
筐体２は、前板部２ａと、前板部２ａの縁部を囲むように設けられた上板部２ｂ、側板部２ｃ、２ｄとからなる箱型形状を呈している。前板部２ａには四角形状の開口２ｅが形成されている。開口２ｅは、前板部２ａの上半分ほどの領域であって側板部２ｄ寄りの箇所に形成されている。また、前板部２ａには、開口２ｅを開閉するためのシャッター６が設けられている。
【００２２】
開口２ｅの上縁部の近傍であって、上板部２ｂと前板部２ａとの角部には、各種押しボタン１１、１２、１３が配設されている。押しボタン１１と１２との間にはスペーサ１６が、押しボタン１２と１３との間にはスペーサ１７が設けられている。これらスペーサ１６、１７は押されても筐体内部に押し込まれず、押しボタンとしては機能しない。スペーサ１７には発光窓部１８が設けられている。
【００２３】
筐体２において下半分ほどの部分には板状の外装部材４が取り付けられている。外装部材４は、筐体２の前板部２ａの下半分を覆う前板部４ａと、筐体２の側板部２ｄの下方の領域を覆う側板部４ｄとからなる。
【００２４】
筐体３は、背板部３ａと、背板部３ａの縁部を囲むように設けられた上板部３ｂ、側板部３ｃ、３ｄとからなる箱型形状を呈している。
【００２５】
上述した外部筐体は例えば樹脂材料からなり、その内部には、図５に示す内部筐体１４３が内蔵されている。内部筐体１４３は、例えば金属材料からなり、電子機器１の剛性を高める補強部材及び内蔵機器の取付部材として機能する。
【００２６】
内部筐体１４３は、後述するハードディスクの取付壁部１７２と、この取付壁部１７２の縁部を囲むように設けられた上板部１４４と、側板部１４５、１４８、１４７と、底板部１４６とからなる箱型形状を呈している。
【００２７】
上板部１４４には吸気用開口１６７が多数の小孔として形成されている。側板部１４５には吸気用開口１５１が多数の小孔として形成されている。側板部１４７には吸気用開口１６６、１６２が多数の小孔として形成されている。
【００２８】
側板部１４８には排気用開口１５３、１５４が多数の小孔として形成されている。さらに、側板部１４８には、配線接続部である各種コネクタを露出させるための開口４３、４４、１４９が形成されている。
【００２９】
底板部１４６には吸気用開口１５５が多数の小孔として形成されている。また、底板部１４６には、吸気と内部筐体１４３の軽量化を図るための開口１５９、１６０、１６１が形成されている。さらに、底板部１４６には、内部筐体１４３内に配設されたチューナーの入力端子を露出させるための開口１５６、１５７、１５８が形成されている。
【００３０】
取付壁部１７２には、吸気と内部筐体１４３の軽量化を図るための開口１５２、１６５、１６４、１６３が形成されている。また、取付壁部１７２において、開口１６５が形成された領域は内部筐体１４３内に収容される内蔵機器であるハードディスク装置の取付領域であり、その領域には、複数のハードディスク装置を収容した後述する枠体が引っ掛けられるようにして着脱自在に取り付けられる４つの掛止部１６８が、取付壁部１７２の内面側に突出して設けられている。さらに、そのハードディスク装置取付領域の上部には、横長の係合孔１６９が形成されている。
【００３１】
内部筐体１４３の内部には、ハードディスク装置の他にも、マザーボード、チューナーボード、電源ユニットなどの各種内蔵機器が配設される。
【００３２】
図６に、本実施形態に係るハードディスク装置の取付具１２０の斜視図を示す。取付具１２０は、枠体１２１とレバー部材１２２とからなる。枠体１２１及びレバー部材１２２は共に金属材料からなる。図７は、枠体１２１のみを図６とは別角度から見た斜視図である。
【００３３】
枠体１２１は４つの側板部１２１ａ、１２１ｂ、１２１ｃ、１２１ｄからなり、これら側板部１２１ａ、１２１ｂ、１２１ｃ、１２１ｄによって囲まれた枠体１２１の内部は、ハードディスク装置の収容部となっている。
【００３４】
側板部１２１ａには、図７に示すように、膨出部１３５と、ストッパ部１２７と、ガイド部１２６が設けられている。膨出部１３５の中心には貫通孔が形成されている。ストッパ部１２７及びガイド部１２６は何れも側板部１２１ａに切れ込みを入れて形成された片を側板部１２１ａ表面側に突出させるように立ち上げて設けられている。ガイド部１２６はさらにＬ字状に屈曲されている。
【００３５】
側板部１２１ａに平行に対向している側板部１２１ｄにも、側板部１２１ａと同様な膨出部１３５、ストッパ部１２７、ガイド部１２６が設けられている。
【００３６】
側板部１２１ａ及び側板部１２１ｄに垂直な側板部１２１ｃには、図６に示されるように、膨出部１３２、１３３、ハードディスク支持部１３１、ハードディスク固定部１３０が設けられている。膨出部１３２、１３３のそれぞれの中心にはねじ孔が形成されている。ハードディスク固定部１３０は複数設けられ、各々は、側板部１２１ｃに切れ込みを入れて形成されその側板部１２１ｃに片持ち支持された片である。各々のハードディスク固定部１３０には貫通孔が形成されている。ハードディスク支持部１３１は複数設けられ、各々は、側板部１２１ｃに切れ込みを入れて形成された片を枠体１２１の内部に屈曲させて突出させてなる。各々のハードディスク支持部１３１は、側板部１２１ｃに対してほぼ直角に屈曲されている。
【００３７】
側板部１２１ｃに平行に対向している側板部１２１ｂには、図７に示されるように、側板部１２１ｂの外壁側に膨出している膨出部１３８と、ハードディスク支持部１３１と、多数の丸孔状の貫通孔１４２が設けられている。膨出部１３８は、側板部１２１ｂの四隅近傍に設けられ、各膨出部１３８には掛止孔１３９が形成されている。
【００３８】
各掛止孔１３９は、側板部１２１ｂの内壁部と外壁部とを貫通するボトル形状の貫通孔として形成されており、その掛止孔１３９における幅広部分と幅狭部分との間の段部は、後述する筐体に設けられた被掛止部に引っ掛けられる掛止部１３９ａとして機能する。
【００３９】
ハードディスク支持部１３１は、上記側板部１２１ｃに設けられたものと同様、側板部１２１ｂに切れ込みを入れて形成された片を枠体１２１の内部に屈曲させて突出させてなる。各々のハードディスク支持部１３１は、側板部１２１ｂに対してほぼ直角に屈曲されている。
【００４０】
レバー１２２部材は、側板部１２１ａ及び１２１ｄに対して回動自在に取り付けられる１対の回動板部１２３と、その１対の回動板部１２３を連結する取手部１１６とからなる。
【００４１】
回動板部１２３は、軸部材１２８を中心に、側板部１２１ａ（１２１ｄ）に対して回動可能となっている。軸部材１２８は、側板部１２１ａ（１２１ｄ）の膨出部１３５に形成された貫通孔に嵌合される。また、回動板部１２３には、２本の細長いくぼみ１３４が形成されて剛性が高められ、たわみにくくされている。
【００４２】
側板部１２１ａに取り付けられた回動板部１２３の直線状の端縁部はロック部１２３として機能し、取付具１２０が図５に示す内部筐体１４３に取り付けられるとその筐体に形成された係合孔１６９に差し込まれる。
【００４３】
取手部１１６は、側板部１２１ａに平行な略正方形状の側板部１２５ｂと、側板部１２１ｄに平行な略正方形状の側板部１２５ａと、これら側板部１２５ａ、１２５ｂ間を連結する矩形板部１２４とからなる。側板部１２５ａ、１２５ｂのそれぞれの一縁部は回動板部１２３に一体に結合され、その一縁部に対向する縁部に矩形板部１２４が一体に結合されている。矩形板部１２４にはくり抜き孔１２４ａが形成されている。
【００４４】
上記枠体１２１の内部には、図８に示すように複数個（例えば４個）のハードディスク装置１４０が収容される。各々のハードディスク装置１４０は、枠体１２１の内部に突出された４つのハードディスク支持部１３１に支持される。なお、最下段のハードディスク装置１４０は、枠体１２１の側板部１２１ｄ内面に設けられた４つのハードディスク支持部１３７（図７参照）に支持される。
【００４５】
各々のハードディスク装置１４０において２つある長尺側端面のうち、枠体１２１の側板部１２１ｃ内面に対向される端面は、側板部１２１ｃに設けられたハードディスク固定部１３０に固定される。具体的には、各ハードディスク固定部１３０にあけられた丸孔状の貫通孔に図８に示すねじ１４１が通されて、そのねじ１４１が各ハードディスク装置１４０の上記端面に螺着される。各端面の長尺方向に沿った両端部寄りの２箇所にねじ止めされる。これによって、各ハードディスク装置１４０は枠体１２１に対して固定される。
【００４６】
また、上記ねじ止めの際に、ハードディスク固定部１３０が側板部１２１ｃに対して揺動可能に片持ち支持されていることから、すなわち各ハードディスク装置１４０の端面に近づく方向とその反対に遠ざかる方向とに揺動可能であるので、ハードディスク装置１４０の短尺側の幅の違いに対して柔軟に対応できる。
【００４７】
図８において、最上段のハードディスク装置１４０の上面と枠体１２１の側板部１２１ａ内面との間には間隙が形成され、その最上段のハードディスク装置１４０の下面と２段目のハードディスク装置１４０の上面との間にも間隙が形成され、２段目のハードディスク装置１４０の下面と３段目のハードディスク装置１４０の上面との間にも間隙が形成され、３段目のハードディスク装置１４０の下面と最下段のハードディスク装置１４０の上面との間にも間隙が形成されている。さらに、最下段のハードディスク装置１４０は、側板部１２１ｄの内面に突出して設けられた４つのハードディスク支持部１３７（図７にその１つのみを図示）に支持されるので、最下段のハードディスク装置１４０の下面と側板部１２１ｄの内面との間にも間隙が形成される。
【００４８】
以上のように、各ハードディスク装置１４０は互いに離間された状態で（互いに接触せずに）重ねられ、また側板部１２１ａ、１２１ｄにそれぞれ向き合わされるハードディスク装置１４０もそれら側板部１２１ａ、１２１ｄとの間に間隙を形成しているので、ハードディスク装置１４０が発する熱の放熱性を高めることができる。
【００４９】
また、枠体１２１の各側板部には多数の開口が形成され、さらに枠体１２１は４つの側板部からなる角筒状を呈しているので、枠体１２１の内部は通気性に優れ、その内部にハードディスク装置１４０の熱がこもることを防いで放熱性を高めることができる。
【００５０】
図９は、上述した内部筐体１４３の取付壁部１７２の要部拡大図を示す。取付壁部１７２において被掛止部１６８形成箇所には、被掛止部１６８及びガイド部１７１を残すようにしてくり抜き孔１７０が形成されている。被掛止部１６８の下端部は取付壁部１７２に一体に結合され、被掛止部１６８の上端部中央はガイド部１７１の下端部と一体に結合され、ガイド部１７１の上端部は取付壁部１７２に一体に結合されている。被掛止部１６８及びガイド部１７１は、内部筐体１４３の内部に向けて（図９において紙面手前側に向けて）湾曲されて突出している。ガイド部１７１の幅は被掛止部１６８の幅よりも小さく、被掛止部１６８とガイド部１７１との間には段部１６８ａが形成されている。
【００５１】
以上のように構成される取付具１２０は、以下のようにして内部筐体１４３の取付壁部１７２に取り付けられる。
【００５２】
複数のハードディスク装置１４０を枠体１２１の内部に収容した取付具１２０は、図１０に示すように、枠体１２１の側板部１２１ｂを内部筐体１４３の取付壁部１７２に対向させ、側板部１２１ａを内部筐体１４３の上板部１４４に対向させた姿勢でもって取付壁部１７２に取り付けられる。
【００５３】
具体的には、枠体１２１の側板部１２１ｂに設けられた掛止孔１３９の段部である掛止部１３９ａ（図７参照）を、取付壁部１７２に設けられた被掛止部１６８の段部１６８ａ（図９参照）に引っ掛ける。これによって、取付具１２０は、取付壁部１７２に設けられた被掛止部１６８の段部１６８ａにぶら下がるようにして支持される。
【００５４】
上記取り付けの際に、掛止孔１３９の上部である細い矩形状の部分を、被掛止部１６８の上端部側に設けられたガイド部１７１に挿入してそのまま取付具１２０を下方に移動させると、掛止部１３９ａが、被掛止部１６８の段部１６８ａに引っ掛かる位置に移動され、容易に両者の掛止を行える。
【００５５】
また、取付壁部１７２から突出している被掛止部１６８及びガイド部１７１は、掛止孔１３９を介して側板部１２１ｂの内方に入り込むが、掛止孔１３９は、側板部１２１ｂの外壁部に膨出された膨出部１３８に形成されているので、上記被掛止部１６８及びガイド部１７１はその膨出部１３８内にとどまって枠体１２１内部のハードディスク装置１４０に突き当たることがない。
【００５６】
上述のようにして、取付具１２０を取付壁部１７２に掛止した後、レバー部材１２２を、図１０に示す位置から、図１１に示す位置へと移動させる。具体的には、図１０の状態で枠体１２１から離間されている取手部１１６を側板部１２１ｃに押し付けるように倒して、軸部材１２８を支点に回動板部１２３を回動させる。
【００５７】
これにより、レバー部材１２２の回動板部１２３が側板部１２１ａの外壁上を軸部材１２８を支点に回動して、回動板部１２３の直線状の端縁部であるロック部１２３ａ（図６、８参照）が、取付壁部１７２に形成された細長い係合孔１６９（図５、９参照）に差し込まれる。図１２は、取付具１２０が取付壁部１７２に掛止され、かつロック部１２３ａが係合孔１６９に差し込まれた状態における、取付壁部１７２を外壁面側から見た斜視図である。係合孔１６９に差し込まれたロック部１２３ａは、その先端部が係合孔１６９から取付壁部１７２の外壁面側にわずかに突き出る。
【００５８】
取付壁部１７２に掛止された取付具１２０が上方に移動すると、掛止部１３９ａと被掛止部１６８との掛止が外れるが、上述したようにロック部１２３ａが係合孔１６９に差し込まれることで、取付具１２０を上方へ移動させようとする力が働いてもロック部１２３ａが係合孔１６９の内縁部に引っかかることで、取付具１２０の上方への移動が規制される。これにより、筐体１４３に対する取付具１２０の安定した掛止状態を保持できる。
【００５９】
なお、係合孔１６９は取付壁部１７２の上部側にだけ形成されて下部側には形成されていないので、図１０において枠体１２１の下面となる側板部１２１ｄの外壁部上を回動される回動板部１２３の端縁部１２３ｂはロック部としては機能せず、取付壁部１７２に対して隙間をあけて対向される、あるいは負荷を与えない程度で接触される。もちろん、取付壁部１７２の下部側にも係合孔を形成して、上記端縁部１２３ｂをその係合孔に差し込まれるロック部として機能させてもよい。
【００６０】
内部筐体１４３において、外部筐体２の前板部２ａと向き合わされる部分には図１３に示すように補助取付具９４が取り付けられる。
【００６１】
補助取付具９４は剛性の高い金属材料からなり、光ディスク装置の本体が収容される収容凹部９６と、その光ディスク装置の本体から引き出されたディスクトレーが収容される凹所２１を有する。
【００６２】
収容凹部９６の上方にはフック部１０３が設けられており、そのフック部１０３は、内部筐体１４３の上板部１４４と、その上板部１４４の前端縁部と略直角になるように設けられた帯板部１４４ａとの角部に引っ掛けられる。
【００６３】
収容凹部９６の左端縁部にはフランジ部１０１が設けられており、そのフランジ部１０１は、内部筐体１４３の側板部１４５の前端縁部と略直角になるように設けられた帯板部に例えばねじ止めされる。
【００６４】
凹所２１の右端縁部にはフランジ部１０２が設けられており、そのフランジ部１０２は、内部筐体１４３の側板部１４７の前端縁部と略直角になるように設けられた帯板部に例えばねじ止めされる。
【００６５】
以上のようにして、補助取付具９４は内部筐体１４３に対して固定されるが、さらにハードディスク装置の取付具１２０にも固定される。
【００６６】
凹所２１は、その底部外面が、上記取付壁部１７２に取り付けられた取付具１２０の枠体１２１の側板部１２１ｃ及び取手部１１６の矩形板部１２４に押し当てられる。そして、その凹所２１の中央には２つの貫通孔９８が形成されており、その貫通孔９８にねじが通されて、これらねじはそれぞれ側板部１２１ｃに設けられた膨出部１３２、１３３に形成されたねじ孔に螺着される。図１１に示すように、膨出部１３３は取手部１１６の矩形板部１２４に形成されたくり抜き孔１２４ａから露出している。以上のことにより、取付具１２０は、筐体１４３の取付壁部１７２と補助取付具９４との間に挟まれるようにして両者に対して固定される。
【００６７】
内部筐体１４３において補助取付具９４が取り付けられた側には上述した外部筐体２が被せられる。そして、外部筐体２の上板部２ｂと前板部２ａとの角部に配置された押しボタン１１を押すと、上記収容凹部９６に収容された光ディスク装置の本体からディスクトレーが凹所２１へと引き出され、外部筐体２の前板部２ａに設けられたシャッター６がそのディスクトレーの動作に連動して自動で下方にスライド移動され、図４に示すように、凹所２１及びそこに引き出されたディスクトレー２０が前板部２ａの開口２ｅから露出され、ディスクトレー２０に対するディスク状記録媒体の着脱が行える。
【００６８】
なお、凹所２１の上方には、図４に示すように、各種半導体メモリカードのスロット２２、２３、２４が設けられ、シャッター６が開くとそれらスロット２２、２３、２４に対する半導体メモリカードの挿脱も行える。
【００６９】
上記押しボタン１１を再び押して、ディスクトレー２０が光ディスク装置の本体に装填されるとそれに連動してシャッター６も自動で閉まる。なお、押しボタン１２を押すことで、ディスクトレー２０の動作に関係なく、シャッター６の上下動（開閉動作）を行わせることができる。
【００７０】
複数のハードディスク装置１４０は上述したように取付具１２０を用いて１つのユニットとして内部筐体１４３に取り付けられるが、例えば４つのハードディスク装置１４０のうち少なくとも１つもより大容量のものに交換したい、あるいは初め枠体１２１には３つ以下のハードディスク装置１４０しか収容しておらず、その後追加したいといった場合には、取付具１２０ごと内部筐体１４３から取り外す。その取り外しに際しては、取付具１２０は内部筐体１４３に引っ掛けてあるだけなので簡単に取り外すことができる。
【００７１】
具体的には、例えば図１１の状態にある取手部１１６を手前に引いて、上述した係合孔１６９からロック部１２３ａを抜く。これによって、取付具１２０の上方への移動が可能になるので、取付具１２０を上方へとスライド移動させて、上述した被掛止部１６８に対する掛止部１３９ａの引っ掛かりを外す。これによって複数のハードディスク装置１４０をまとめて取付具１２０ごと内部筐体１４３から取り外すことができる。
【００７２】
そして、図１１のロック状態から取手部１１６を手前に引くと、図１０に示すように取手部１１６は枠体１２１から離間され、取手部１１６の矩形板部１２４に形成されたくり抜き孔１２４ａに手を掛けて持つことができる。
【００７３】
側板部１２１ａ、１２１ｄの外壁部上にそれぞれ設けられたガイド部１２６は、回動板部１２３の縁部に非接触で被さるようにされており、回動板部１２３の、側板部１２１ａ、１２１ｄ上からの浮き上がりを防止する。
【００７４】
以上述べたように、本実施形態では、複数のハードディスク装置をまとめて１つの取付具１２０に収容したうえで、その取付具１２０を筐体１４３に引っ掛けるので、従来のように各ハードディスク装置をそれぞれ取付具を用いて筐体に対してねじ止めする場合に比べ、着脱を簡単に行える。また、筐体の底部あるいはベイと呼ばれる箱状の収容部以外の箇所にも取り付けることができるので、配置レイアウトの自由度も高い。
【００７５】
また、取付具１２０の持ち運び用の取手部１１６を引き出す動作がそのままロック部１２３ａの係合孔１６９からの解除動作となっているため、取り外し方法がわかりやすく、作業者の手間もかからない。
【００７６】
その取手部１１６によって取付具１２０が持ちやすくなっているため、ハードディスク装置１４０の台数が多い場合や（上記説明では４台としたがこれより多くてもあるいは少なくてもよい）、取り付けにくい箇所であって容易に着脱を行える。さらに、取手部１１６とロック部１２３ａとを一体の一部材であるレバー部材１２２によって実現しているため部品点数を減らしコストダウンが図れる。
【００７７】
また、ロック部１２３ａをロック位置（係合孔１２３ａに差し込まれた位置）に押さえ込みつつ取付具１２０自体も押さえ込むように補助取付具９４が筐体１４３に取り付けられるため、振動等でロック部１２３ａがロック位置から外れることを防げると共に、取付具１２０は取付壁部１７２と補助取付具９４の２面で挟み込まれ、２方向から面で押さえられており振動や衝撃に強いため、底面に支えがない箇所にも十分な取付強度でもって取り付けることができる。これにより、取付箇所や取付姿勢を選ばない。
【００７８】
補助取付具９４がロック部１２３ａをロック位置へと押さえる構造であるため、図１０に示すロックし忘れた状態であっても補助取付具９４を取り付ければ自然にロック部１２３ａが係合孔１６９に差し込まれるようになっており、ロックのし忘れによる脱落などを防ぐことができる。
【００７９】
また、補助取付具９４は、内部筐体１４３の側板部１４５と側板部１４７との間に梁のようにわたされて取り付けられているので、内部筐体１４３及び電子機器１全体の剛性を高めることにも寄与している。
【００８０】
さらに、補助取付具９４に設けられた凹部９６内に光ディスク装置を配置できるため内蔵機器や部品配置レイアウトの自由度が増す。
【００８１】
以上、本発明の実施形態について説明したが、勿論、本発明はこれに限定されることなく、本発明の技術的思想に基づいて種々の変形が可能である。
【００８２】
上記実施形態では、取付具１２０を、内部筐体１４３の背板部に相当する壁部１７２に取り付けたが、これに限らず、上板部１４４、側板部１４５、１４８、１４７、底板部１４６に引っ掛けて取り付けてもよい。
【００８３】
また、被掛止部を上記壁部１７２の内面側に突出した突起として設け、レバー部材１２２に設けられる掛止部をその突起状の被掛止部に係合する係合孔としてもよい。
【００８４】
また、レバー部材１２２は軸部材１２８を支点に回動される構成ではなく、取付具１２０が取り付けられる壁部１７２に対して直線軌跡でもって近づいたり遠ざかったりする往復移動される構成としてもよい。
【００８５】
上記実施形態では、電子機器をタワー型コンピュータの本体として説明したが、例えばハードディスクレコーダ、ＤＶＤ（Digital Versatile disc）装置などであってもよい。
【図面の簡単な説明】
【００８６】
【図１】本発明の実施形態に係る電子機器の斜視図である。
【図２】同電子機器の正面図である。
【図３】同電子機器の上面図である。
【図４】同電子機器の正面に設けられたシャッターが開かれた状態の斜視図である。
【図５】同電子機器の内部筐体の斜視図である。
【図６】本発明の実施形態に係るハードディスク装置の取付具の斜視図である。
【図７】同取付具においてレバー部材を取り外した状態の斜視図である。
【図８】同取付具にハードディスク装置が収容された状態の斜視図である。
【図９】図５に示す内部筐体におけるハードディスク取付壁部の拡大図である。
【図１０】上記取付壁部にハードディスク取付具が取り付けられた状態（ロック前）の斜視図である。
【図１１】図１０の状態からロックされた状態の斜視図である。
【図１２】図１１の状態の取付壁部の裏面側の斜視図である。
【図１３】上記内部筐体に補助取付具が取り付けられた状態の斜視図である。
【符号の説明】
【００８７】
１…電子機器、２，３…外部筐体、９４…補助取付具、９６…収容凹部、１１６…取手部、１２０…取付具、１２１…枠体、１２２…レバー部材、１２３ａ…ロック部、１３１…ハードディスク支持部、１３７…ハードディスク支持部、１３９ａ…掛止部、１４０…ハードディスク装置、１４３…内部筐体、１６８…被掛止部、１６９…係合孔、１７２…ハードディスク装置取付壁部。
【図１】
2005293811.tif 000003
【図２】
2005293811.tif 000004
【図３】
2005293811.tif 000005
【図４】
2005293811.tif 000006
【図５】
2005293811.tif 000007
【図６】
2005293811.tif 000008
【図７】
2005293811.tif 000009
【図８】
2005293811.tif 000010
【図９】
2005293811.tif 000011
【図１０】
2005293811.tif 000012
【図１１】
2005293811.tif 000013
【図１２】
2005293811.tif 000014
【図１３】
2005293811.tif 000015